(57)【要約】  本発明は、ハードウェアを高性能化することなく、高度な識別処理を行うシステムを提供することを目的とする。  上記の目的を達成するために、本発明における紙葉類仕分け装置は、紙葉類を識別処理するための紙葉類識別情報を取得する紙葉類識別情報取得手段と、前記紙葉類識別情報取得手段により取得した紙葉類識別情報を外部演算装置へ移送する情報移送手段と、前記紙葉類識別情報とは異なる紙葉類の情報である、固有特徴量情報を認識する固有特徴量認識手段と、内部に前記紙葉類を収納する少なくともひとつの収納手段と、前記固有特徴量認識手段で認識した固有特徴量情報に応じて前記紙葉類を振り分ける振り分け手段と、を備えることを特徴とする。
2014064775.tif 000002
【特許請求の範囲】
【請求項１】
紙葉類を識別処理するための紙葉類識別情報を取得する紙葉類識別情報取得手段と、
前記紙葉類識別情報取得手段により取得した紙葉類識別情報を外部演算装置へ移送する情報移送手段と、
前記紙葉類識別情報とは異なる紙葉類の情報である、固有特徴量情報を認識する固有特徴量認識手段と、
内部に前記紙葉類を収納する少なくともひとつの収納手段と、
前記固有特徴量認識手段で認識した固有特徴量情報に応じて前記紙葉類を振り分ける振り分け手段と、を備えることを特徴とする紙葉類仕分け装置。
【請求項２】
請求項１記載の紙葉類仕分け装置であって、
前記紙葉類識別情報が所定の条件に合致した紙葉類の固有特徴量情報を前記外部演算装置から受信する受信手段を備え、
前記振り分け手段は、前記受信した前記固有特徴量情報に基づいて前記紙葉類を振り分けることを特徴とする紙葉類仕分け装置。
【請求項３】
請求項２記載の紙葉類仕分け装置であって、
操作者に対して情報を表示する表示部を備え、
前記紙葉類識別情報が所定の条件に合致した紙葉類が無い場合、前記受信手段は、前記所定の条件に合致した前記固有特徴量情報が無い旨の情報を受信し、
前記表示部は、前記所定の条件に合致した前記固有特徴量情報が無い旨を表示することを特徴とする紙葉類仕分け装置。
【請求項４】
請求項１記載の紙葉類仕分け装置であって、
前記紙葉類識別情報取得手段により１つの前記紙葉類識別情報を取得した後に、
前記情報移送手段は、該紙葉類識別情報を外部演算装置へ移送することを特徴とする紙葉類仕分け装置。
【請求項５】
請求項１記載の紙葉類仕分け装置であって、
前記紙葉類識別情報取得手段により前記識別処理の対象となる全ての前記紙葉類の前記紙葉類識別情報を取得した後に、
前記情報移送手段は、該紙葉類識別情報を外部演算装置へ移送することを特徴とする紙葉類仕分け装置。
【請求項６】
紙葉類を識別処理するための紙葉類識別情報を演算する演算処理手段と、前記紙葉類の中から所定の紙葉類を検出する検出処理手段と、前記所定の紙葉類の前記紙葉類識別情報から固有特徴量情報を認識する固有特徴量認識手段と、前記固有特徴量認識手段で認識した前記固有特徴量情報を出力する情報出力手段と、を備えた外部演算装置と情報の送受信を行う紙葉類処理装置であって、
前記紙葉類処理装置は、
紙葉類を取引処理する取引処理手段と、
前記取引処理に応じて前記紙葉類識別情報を取得する紙葉類識別情報取得手段と、
前記紙葉類識別情報取得手段により取得した紙葉類識別情報を前記外部演算装置へ移送する情報移送手段と、
前記情報出力手段により出力された前記固有特徴量情報を受信する受信手段と、
前記固有特徴量情報に基づき仕分け処理を行う仕分け処理手段と、を備えたことを特徴とする紙葉類処理装置。
【請求項７】
請求項６記載の紙葉類処理装置であって、
前記紙葉類処理装置は前記紙葉類を収納する少なくともひとつの収納手段を有し、
前記収納手段に前記紙葉類識別情報を記憶する記憶手段を備えたことを特徴とする紙葉類処理装置。
【請求項８】
紙葉類仕分け装置と外部演算装置とを備えた紙葉類仕分けシステムであって、
前記紙葉類仕分け装置は、
紙葉類を識別処理するための紙葉類識別情報を取得する紙葉類識別情報取得手段と、前記紙葉類識別情報取得手段により取得した紙葉類識別情報を前記外部演算装置へ移送する情報移送手段と、前記紙葉類の固有特徴量情報を認識する固有特徴量認識手段と、内部に前記紙葉類を収納する少なくともひとつの収納手段と、外部から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する第２の固有特徴量認識手段と、前記第２の固有特徴量認識手段で認識した前記固有特徴量情報を外部へ出力する情報出力手段と、を備えたことを特徴とする紙葉類仕分けシステム。
【請求項９】
紙葉類処理装置と紙葉類仕分け装置と外部演算装置とを備えた紙葉類仕分けシステムであって、
前記紙葉類処理装置は、
紙葉類を取引処理する取引処理手段と、前記取引処理に応じて前記紙葉類を識別処理するための識別情報を取得する紙葉類識別情報取得手段と、前記紙葉類識別情報取得手段により取得した紙葉類識別情報を前記外部演算装置へ移送する情報移送手段と、を備え、
前記紙葉類仕分け装置は、
前記紙葉類の固有特徴量情報を認識する固有特徴量認識手段と、内部に前記紙葉類を収納する少なくともひとつの収納手段と、外部から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する固有特徴量認識手段と、前記固有特徴量認識手段で認識した前記固有特徴量情報を外部へ出力する情報出力手段と、を備えることを特徴とした紙葉類仕分けシステム。
【請求項１０】
請求項８又は９記載の紙葉類仕分けシステムであって、
前記紙葉類識別情報は前記紙葉類の画像データであることを特徴とする紙葉類仕分けシステム。
【請求項１１】
請求項８又は９記載の紙葉類仕分けシステムであって、
前記紙葉類仕分け装置は、紙葉類の枚数を検出する枚数検出手段を有し、前記枚数検出手段による前記紙葉類の枚数の検出によって処理の終了を判断することを特徴とする紙葉類仕分けシステム。
【請求項１２】
請求項９記載の紙葉類仕分けシステムであって、
前記紙葉類処理装置は、取り扱われた全ての紙葉類の前記紙葉類識別情報を前記外部演算装置に移送し、前記外部演算装置にて取引処理情報として管理することを特徴とする紙葉類仕分けシステム。
【請求項１３】
請求項９記載の紙葉類仕分けシステムであって、外部記憶媒体を備え、
前記情報移送手段は、前記外部記憶媒体と情報を送受信する第１の接続部を備え、
前記外部演算装置は、前記外部記憶媒体と情報を送受信する第２の接続部を備え、
前記第１の接続部は、前記紙葉類処理装置で取り扱われた全ての紙葉類の前記紙葉類識別情報を前記外部記憶媒体に送信し、
前記外部記憶媒体は、前記第１の接続部を介して送信された前記紙葉類識別情報を記憶し、
前記第２の接続部は、前記記憶された前記紙葉類識別情報を受信することを特徴とする紙葉類仕分けシステム。
【発明の詳細な説明】
【技術分野】
【０００１】
本発明は、紙葉類処理装置、紙葉類仕分け装置及び紙葉類仕分けシステムに関する。
【背景技術】
【０００２】
従来、金融機関の現金精査に用いられる装置としては、銀行の本店や支店のバックヤード、あるいは現金センタに設置されている紙幣仕分け装置が良く知られている。精査の際には、枚数の確認と真偽判定、正券紙幣と損券紙幣とを仕分けする正損分離処理や帯封処理等を行っている。ここで、正券紙幣とは精査処理後、再度市場に流通させても問題のない綺麗な紙幣を示し、損券紙幣とは汚れや破れ、落書きなどがある損傷紙幣のことを示している。【０００３】
例えば、特許文献１では、紙幣入金処理における、紙幣識別結果が不確定であった場合は一旦紙幣を不確定券格納ボックスに退避させ、入金処理の時間外時に再度不確定紙幣を低速搬送にて、より高精度なアルゴリズムで再識別することが記載されている。また、特許文献２では紙幣識別装置と紙幣管理装置とが接続されたシステムを利用して紙幣識別装置で識別した識別結果と紙幣を一意に特定する記番号情報とを紙幣管理装置で管理することにより、紙幣管理装置で管理された識別結果を記番号に基づいて参照することで識別結果を取得することが記載されている。
【先行技術文献】
【特許文献】
【０００４】
【特許文献１】特開２００４−１５７６２４号公報
【特許文献２】国際公開第２０１０／０１６１４４号パンフレット
【発明の概要】
【発明が解決しようとする課題】
【０００５】
従来の損券紙幣の検出アルゴリズムでは、落書き紙幣は汚れ紙幣として検出された結果、損券として処理されているが、落書き紙幣というのは、故意に紙幣に損害を与える悪質なものであり、ましてや紙幣の肖像画上に落書きしてあるような場合、国によっては紙幣の価値を失うに値する場合もあるため、他の損券とは区別したい要求がある。【０００６】
しかし、紙幣仕分け装置のような現金処理装置で、損券のうち、落書き損券紙幣を検出して、他の損券とは別管理するような処理を考えた場合、専用の検出アルゴリズムが必要であり、装置全体の処理速度を落とさずに落書き紙幣を検出するにはハードウェアとして高性能なＣＰＵが必要となり、結果として高価な装置になる。【０００７】
特許文献１の場合、主にＡＴＭ利用者を待たせないために考慮された特許であるが、紙幣仕分け装置にも同様の機能を具備させることは可能である。しかし、高精度なアルゴリズムが必要であり、また、一旦紙幣を退避させるための不確定券格納ボックスが必要な構成である。また、特許文献２の場合、識別結果を管理するためには紙幣識別装置側で事前に判定する必要があり、紙幣識別装置には高い処理性能が求められる。【０００８】
すなわち、ＡＴＭや紙幣仕分け装置で行う真偽判定、落書き有無判定、正損分離処理といったものは、高機能であるほど装置自体も高価なものとなる。また、精度を優先させると、処理時間がかかってしまい、利用者にとって不便であるという問題もある。【０００９】
本発明は、上記問題点を解決するものであって、ハードウェアを高性能化することなく、高度な識別処理を行うシステムを提供することを目的とする。
【課題を解決するための手段】
【００１０】
前述の目的を達成するために、本発明は、紙葉類を識別処理するための紙葉類識別情報を取得する紙葉類識別情報取得手段と、前記紙葉類識別情報取得手段により取得した紙葉類識別情報を外部演算装置へ移送する情報移送手段と、前記紙葉類識別情報とは異なる紙葉類の情報である、固有特徴量情報を認識する固有特徴量認識手段と、内部に前記紙葉類を収納する少なくともひとつの収納手段と、前記固有特徴量認識手段で認識した固有特徴量報に応じて前記紙葉類を振り分ける振り分け手段と、を備えることを特徴とする。
【発明の効果】
【００１１】
上述のような構成としたことにより、紙葉類処理装置もしくは紙葉類仕分け装置では取引処理時画像を認識して外部演算装置へ情報送信し、外部演算装置で落書き判定を実施して、判定結果を固有特徴量情報で紙葉類仕分け装置へ送信することにより、紙葉類仕分け装置を簡素な構成とすることが可能である。【００１２】
また、本発明によれば、現金自動預払機（ＡＴＭ）や精査機（紙幣仕分け装置、またはソータ）といった紙幣取扱装置は、高度な識別処理を外部演算装置（サーバ）にて行なうシステムを提供することができる。
【図面の簡単な説明】
【００１３】
【図１】紙幣仕分けシステム（その１）の概略構成図
【図２】ホストコンピュータの制御ブロック図
【図３】紙幣仕分け装置の制御ブロック図
【図４】紙幣仕分け装置の概略構成図
【図５】損券紙幣の一例を示す概略説明図
【図６】第１の実施例のフローチャート
【図７】第１、第２の実施例のフローチャートの続き
【図８】第２の実施例のフローチャート
【図９】第２の実施例のフローチャートの続き
【図１０】現金自動取引装置の制御ブロック図
【図１１】現金自動取引装置の概略構成図
【図１２】紙幣仕分けシステム（その２）の概略構成図
【図１３】第３の実施例のフローチャート（その１）
【図１４】データ格納部のデータフォーマットの一例
【図１５】第３の実施例のフローチャート（その２）
【図１６】紙幣処理部の回収庫にメモリを搭載した場合の概略構成図
【図１７】紙幣仕分けシステムの概略構成図
【図１８】現金自動取引装置の制御ブロック図
【図１９】ホストコンピュータの制御ブロック図
【発明を実施するための形態】
【実施例１】
【００１４】
以下、本発明の実施例を、図面を参照して説明する。図１は本発明の実施例としての紙幣仕分けシステム（その１）１５０の全体像を概略的に示すシステム構成図である。【００１５】
紙葉類仕分けシステムに対応する本実施例の紙幣仕分けシステム１５０は、銀行の本店あるいは支店のバックヤード、あるいは現金センタに設置され、銀行業務によって回収した紙幣Ｓを精査する紙幣仕分け装置２００と、例えば銀行の本店あるいは支店、あるいは現金センタ内に設置され、紙幣仕分け装置２００を統括管理するサーバーとして機能するホストコンピュータ３００とで構成され、それぞれが通信回線４００にて接続されている。ここで、通信回線４００は、有線でも無線でも問題ない。【００１６】
紙幣仕分けシステム１５０のそれぞれの構成要素について、以下において、管理端末に対応するホストコンピュータ３００、紙葉類仕分け装置に対応する紙幣仕分け装置２００、の順に説明する。【００１７】
紙幣仕分けシステム１５０の構成要素であるホストコンピュータ３００について、ホストコンピュータ３００のブロック図を示す図２とともに説明する。【００１８】
ホストコンピュータ３００は、主制御部３５０、データを格納するデータ格納部３１０、データの受け渡しを行う通信部３５１（受信手段及び送信手段に対応）、主制御部３５０の動作プログラム等を記録したＲＯＭ３５２、主制御部３５０が各部を制御する制御データを読み書き可能に記録するＲＡＭ３５３、紙幣識別情報２５の解析結果を視認するための表示部３５４、管理者による指示操作を入力許容する管理者入力部３５５、及びスキャナ等で取得された紙幣の画像データの解析を行うデータ処理部３５６を備えている。【００１９】
主制御部３５０は、データ格納部３１０、通信部３５１、ＲＯＭ３５２、ＲＡＭ３５３、表示部３５４、管理者入力部３５５、及びデータ処理部３５６がそれぞれ接続され、ＲＯＭ３５２に記憶した動作プログラムによって、これらを制御する。また、主制御部３５０は、各支店の現金自動取引装置１００から紙幣識別情報２５と取引管理情報２６とを関連付けた取引処理時情報を、通信部３５１を介して受信し、データ処理部３５６にて落書き損券紙幣であるかどうかの高度な解析処理を実施し、その結果をデータ格納部３１０に格納して管理する。【００２０】
管理者入力部３５５は、例えば、落書き損券紙幣情報を作成するためにデータ集計管理を行う際における管理者による指示情報の入力操作を許容する入力部である。【００２１】
続いて、紙幣仕分けシステム１５０の構成要素である紙幣仕分け装置２００について、説明する。紙幣仕分け装置２００は前述のとおり、回収された紙幣Ｓの計数、真偽判定、正損分離処理といった精査業務を行う装置である。【００２２】
ここで、紙幣仕分け装置２００の電気的構成を示したブロック図である図３について説明する。紙幣仕分け装置２００は、図３に示すように、紙幣仕分け装置２００の各部を制御する主制御部２５０、主制御部２５０の動作プログラム等を記録したＲＯＭ２５１、主制御部２５０が各部を制御する制御データを読み書き可能に記録するＲＡＭ２５２、操作者に対して情報を表示する場合や、操作者による入力操作を受け付ける場合に使用する表示操作部２５３、情報の送受信を行う通信部２５４、及び各種情報を格納する格納部２５５を備えている。格納部２５５には、上述したホストコンピュータ３００から受信した紙幣Ｓに関する各種情報を格納する。【００２３】
また、上記の他に、確認時固有特徴量認識手段に対応する記番号読取センサ２０１、枚数検出センサ２０３、紙幣の表裏全体の画像を取得するスキャナ２０４、及び搬送されてくる紙幣の損券レベルを読み取る損券検知センサ２０５、紙幣識別部により精査した紙幣を振り分ける振り分けゲート２３０を備えている。【００２４】
次に、紙幣仕分け装置２００の機構を示す構造図である図４について説明する。
紙幣仕分け装置２００の内部には、紙幣識別部２１０、ホッパ２２０、振り分けゲート２３０、リジェクトスタッカ２４０、スタッカ２４５Ａ〜２４５Ｂを備えている。紙幣識別部２１０は、記番号読取センサ２０１、枚数検出センサ２０３、スキャナ２０４、損券検知センサ２０５を搭載し、ホッパ２２０から繰り出された紙幣Ｓに対して計数、真偽判定、正損分離処理といった精査を行う。ホッパ２２０は、紙幣Ｓの投入部であり、投入された紙幣Ｓを１枚ずつ繰り出す。振り分けゲート２３０は、紙幣識別部２１０により精査した紙幣Ｓを振り分ける。リジェクトスタッカ２４０、スタッカ２４５Ａ〜２４５Ｂは紙幣の収納手段であって、紙幣を取出すことを可能とした開口部を装置前面（ホッパ２２０を設けた側面）に備えている。【００２５】
このように構成された紙幣仕分け装置２００の説明と紙幣搬送の仕組みについて、紙幣仕分け装置２００の一般的な使用方法である、正損分離処理を例にして説明する。なお、紙幣仕分け装置２００で実施する正損分離処理とは、真偽判定により真券紙幣と偽券紙幣に区分された紙幣のうち真券紙幣を、正損分離基準に基づいて正券紙幣であるか損券紙幣であるかを判定し、物理的に正券紙幣と損券紙幣を区分することを指す。【００２６】
ここで、損券紙幣の主な例について、図５を用いて説明する。
損券紙幣は、図５（ａ）に示すように、紙幣表面に汚れ（しみ）５０がある汚れ損券紙幣Ｓ０、図５（ｂ）に示すように、紙幣表面に落書き５１がある落書き損券紙幣Ｓ１、図５（ｃ）に示すように、紙幣の一部に破れ５２がある破れ損券紙幣Ｓ２、図５（ｄ）に示すように、紙幣の一部に折れ５３がある折れ損券紙幣Ｓ３、図５（ｅ）に示すように、紙幣の一部に穴５４がある穴損券紙幣Ｓ４などがある。【００２７】
次に紙幣仕分け装置２００の具体的な動作について、図５を用いて説明する。現金自動取引装置１００や銀行窓口から回収された紙幣Ｓがホッパ２２０に装填されると、紙幣Ｓを１枚ずつ分離して、ホッパ２２０から識別部２１０に搬送する。【００２８】
識別部２１０は、枚数検出センサ２０３によって紙幣枚数を検出するとともに、損券検知センサ２０５にて、搬送されてくる紙幣の損券レベルを読み取り、正損分離基準を示す正損分離基準情報２５７と比較して、当該紙幣Ｓが損券紙幣であれば振り分けゲート２３０の駆動によりリジェクトスタッカ２４０へ搬送し、当該紙幣Ｓが正券紙幣であれば振り分けゲート２３０の駆動により特定のスタッカ（例えば２４５Ａ）へ振り分ける。ここで、損券レベルとは、紙幣の破れの大きさ、穴の大きさ等を数値で評価したものである。【００２９】
以上が一般的な紙幣仕分け装置２００の一例であるが、本発明の実施例を以下に説明する。【００３０】
第１の実施例は、紙幣仕分け装置２００とホストコンピュータ３００をつないだ図１の紙幣仕分けシステム（その１）の一例である。ある紙幣束の中に落書き損券紙幣があるかを検出するものである。【００３１】
第１の実施例を図６に示したフローチャートを用いて説明する。
紙幣束をホッパ２２０に装填する。この時、紙幣束は同一通貨であれば、複数金種が混在していても、紙幣の表裏がバラバラでも問題ない。ホッパ２２０から紙幣Ｓが１枚ずつ分離され、識別部２１０に搬送される（Ｓ１０１）。識別部２１０では、枚数検出センサ２０３によって紙幣枚数を検出するとともに（Ｓ１０２）、スキャナ２０４によって搬送された紙幣の表裏画像を取得し（Ｓ１０３）、紙幣画像情報２５８として１つのスキャナ画像が保存されると、通信部２５４により、通信回線４００経由でホストコンピュータ３００にデータ送信される（Ｓ１０４）。なお、搬送された紙幣Ｓはすべて振り分けゲート２３０の駆動により、特定のスタッカ（例えば２４５Ａ）へ振り分ける（Ｓ１０５）。これをホッパの紙幣が無くなるまで繰り返す（Ｓ１０６）。ホッパに搭載した紙幣がすべて識別部を通過したら、紙幣識別総枚数（ここでは、ｎ枚だったとする）をホストコンピュータ３００に送信する（Ｓ１０７）。【００３２】
一方、リアルタイムでデータ送信されたホストコンピュータ３００は通信部３５１より、紙幣仕分け装置２００からの紙幣画像を受信し（Ｓ２０１）、データ処理部３５６にて、スキャナ画像に落書き損券紙幣が含まれているかどうかの高度な解析処理を実施し（Ｓ２０２）、合わせて紙幣画像に含まれる記番号画像データから記番号の認識処理を行う。  【００３３】
なお、落書きを検出するための具体的な解析処理としては、例えば、落書きが含まれる紙幣画像データから本来の紙幣画像成分のみを引き算し、残された画像データに対してOCR(光学文字認識)処理を実施すればよい。文字の形態でない落書きに対しては想定される落書きを事前に定義し、パターンマッチングを行う方法でも良い。これらの解析処理を実施することで、単なる汚れ損券紙幣なのか、落書き損券紙幣なのかを判別することができる。【００３４】
判別結果をデータ格納部３１０に、当該紙幣の記番号と共に格納する。落書き損券紙幣が検知された場合は（Ｓ２０３）、記番号のみを通信回線４００経由で紙幣仕分け装置２００に通知する（Ｓ２０４、Ｓ１０８）。ホストコンピュータ３００は、落書き紙幣有無にかかわらず、画像解析済みの紙幣枚数をカウントして（Ｓ２０５）、データ格納部３１０に格納する。【００３５】
ホストコンピュータ３００から通知された記番号は、紙幣仕分け装置２００内の紙幣識別情報２５６に格納される（Ｓ１０９）。【００３６】
ホストコンピュータ３００は、紙幣識別総枚数が紙幣仕分け装置２００から送られてくるのを待ち（Ｓ２０６）、データ格納部３１０に格納されている、画像解析枚数がｎ枚となるまで、画像解析処理を繰り返す（Ｓ２０７）。ホストコンピュータ３００がｎ枚分の紙幣の画像解析を終えた時点で、終了通知を紙幣仕分け装置２００に通知する（Ｓ２０８）。紙幣仕分け装置２００はホストコンピュータ３００から画像解析終了通知がくるまで、記番号受信を待つ（Ｓ１１０）。画像解析終了通知後、次のステップに進むために、表示操作部２５３に「紙幣をホッパに再セットしてください」といった文言を表示する（Ｓ１１１）。【００３７】
次にホストコンピュータでの処理結果に基づき、当該紙幣を紙幣仕分け装置２００で振り分ける方法について図７を用いて説明する。
スタッカ（例えば２４５Ａ）に搬送された紙幣束をホッパ２２０に再度装填する。ホッパ２２０から紙幣Ｓが１枚ずつ分離され、識別部２１０に搬送される（Ｓ１１２）。識別部２１０では、記番号読取センサ２０１により紙幣Ｓの記番号データを取得し（Ｓ１１３）、主制御部２５０は、読み取った記番号画像データから記番号を認識し、前記の紙幣識別情報２５６に格納されている記番号と一致するかをチェックする（Ｓ１１４）。
該当する記番号の紙幣Ｓは振り分けゲート２３０の駆動により、リジェクトスタッカ２４０へ搬送され（Ｓ１１５）、紙幣仕分け装置２００の格納部２５５内の紙幣画像情報２５８に保存されている、該当紙幣（落書き損券紙幣）の画像と記番号を表示操作部２５３に表示する（Ｓ１１６）。【００３８】
記番号が一致しない紙幣Ｓは特定のスタッカ（例えば２４５Ａ）に格納される（Ｓ１１７）。この処理はホッパの紙幣が無くなるまで繰り返される（Ｓ１１８）。【００３９】
ここで、図１の例として紙幣仕分け装置２００が、ホストコンピュータ３００に複数接続されているが、ホストコンピュータ３００は１台１台の紙幣仕分け装置２００を個別に認識可能であるため、紙幣仕分け装置２００の複数台同時処理も可能である。【００４０】
以上より、紙幣仕分け装置２００とホストコンピュータ３００間で通信することにより、紙幣仕分け装置２００内に高度な解析処理を行う識別部２１０を搭載することなく、落書き損券紙幣を分離させることが可能となる。
【実施例２】
【００４１】
次に第２の実施例の説明をする。第２の実施例は第１の実施例とシステムは同じ（図１）で、ある紙幣束の中に落書き損券紙幣があるかを検出するものであるが、データ送信方式が第１の実施例とは異なるものである。【００４２】
第２の実施例を図８、図９に示したフローチャートを用いて説明する。
紙幣束をホッパ２２０に装填する。この時、紙幣束は同一通貨であれば、複数金種が混在していても、紙幣の表裏がバラバラでも問題ない。ホッパ２２０から紙幣Ｓが１枚ずつ分離され、識別部２１０に搬送される（Ｓ３０１）。識別部２１０では、枚数検出センサ２０３によって紙幣枚数を検出するとともに（Ｓ３０２）、スキャナ２０４によって搬送された紙幣の表裏画像を取得し（Ｓ３０３）、紙幣画像情報２５８としてスキャナ画像を保存する。なお、搬送された紙幣Ｓはすべて振り分けゲート２３０の駆動により、特定のスタッカ（例えば２４５Ａ）へ振り分ける（Ｓ３０４）。これをホッパの紙幣が無くなるまで繰り返す（Ｓ３０５）。ホッパに搭載した紙幣がすべて識別部を通過したら、紙幣識別総枚数（ここでは、ｍ枚だったとする）と、ｍ枚分の紙幣表裏の画像データをホストコンピュータ３００に送信する（Ｓ３０６）。【００４３】
一方、紙幣仕分け装置からデータを受けたホストコンピュータ３００（Ｓ４０１）は通信部３５１より、データ処理部３５６にて、スキャナ画像に落書き損券紙幣が含まれているかどうかの高度な解析処理を実施し（Ｓ４０２）、その結果をデータ格納部３１０に、当該紙幣の記番号と共に格納する。この処理をｍ枚分実施する（Ｓ４０４）。【００４４】
ｍ枚分の画像解析処理を実施した後、落書き損券紙幣が検知された場合は（Ｓ４０５  Ｙ）、落書き損券紙幣の記番号を通信回線４００経由で紙幣仕分け装置２００に通知する（Ｓ４０６）。一方、落書き損券紙幣が検知されなかった場合は（Ｓ４０５  Ｎ）、該当記番号無しの結果を通信回線４００経由で紙幣仕分け装置２００に通知する（Ｓ４０７）。【００４５】
ホストコンピュータ３００から解析結果を受信した紙幣仕分け装置２００は（Ｓ３０７）、落書き損券紙幣の記番号有無をチェックし、該当記番号が無かった場合は（Ｓ３０８  Ｎ）、表示操作部２５３に「落書き紙幣はありませんでした」等の文言を表示し、処理を終了することができる（Ｓ３１１）。【００４６】
一方、記番号があった場合は（Ｓ３０８  Ｙ）、紙幣仕分け装置２００内の紙幣識別情報２５６に格納後（Ｓ３０９）、次のステップに進むために、表示操作部２５３に「紙幣をホッパに再セットしてください」といった文言を表示する（Ｓ３１０）。【００４７】
以降は、第１の実施例と同じ手順となるが（図７）、スタッカ（例えば２４５Ａ）に搬送された紙幣束をホッパ２２０に再度装填する。ホッパ２２０から紙幣Ｓが１枚ずつ分離され、識別部２１０に搬送される（Ｓ１１２）。識別部２１０では、記番号読取センサ２０１により紙幣Ｓの記番号データを取得し（Ｓ１１３）、主制御部２５０は、読み取った記番号画像データから記番号を認識し、前記の紙幣識別情報２５６に格納されている記番号と一致するかをチェックする（Ｓ１１４）。【００４８】
該当する記番号の紙幣Ｓは振り分けゲート２３０の駆動により、リジェクトスタッカ２４０へ搬送され（Ｓ１１５）、紙幣仕分け装置２００の格納部２５５内の紙幣画像情報２５８に保存されている、該当紙幣（落書き損券紙幣）の画像と記番号を表示操作部２５３に表示する（Ｓ１１６）。【００４９】
記番号が一致しない紙幣Ｓは特定のスタッカ（例えば２４５Ａ）に格納される（Ｓ１１７）。この処理はホッパの紙幣が無くなるまで繰り返される（Ｓ１１８）。【００５０】
以上のように、第２の実施例では、画像データをホストコンピュータ３００に一括送信する処理であるため、第１の実施例と比べて処理を簡素化できる。【００５１】
ここで、今までの説明では、紙幣仕分け装置２００とホストコンピュータ３００を用いたシステムであったが、紙幣画像情報２５８の取得は紙幣仕分け装置２００に限らず、各種の紙幣処理装置でも実施可能である。ここでは、その一例として、現金自動取引装置１００とホストコンピュータ３００と紙幣仕分け装置２００を用いたシステム構成（図１２に該当）について説明する。【００５２】
まず、現金自動取引装置１００の電気的な概略構成を示すブロック図である図１０とともに、現金自動取引装置１００について説明する。【００５３】
現金自動取引装置１００は、図１０に示すように、表示操作部１２０、カード受付部１３０、紙幣処理部１１０、通信部２３、格納部２４、時計２７、並びに、ＲＯＭ２１及びＲＡＭ２２が接続された主制御部２０で構成している。【００５４】
なお、表示操作部１２０、カード受付部１３０及び紙幣処理部１１０は、装置筐体部に備えられ、紙幣の入出金取引処理を行うための利用者の入力操作や利用者への表示、紙幣やカードの受渡に関与している。【００５５】
取引処理手段に対応する紙幣処理部１１０は、後述する装置前面に設置されたシャッター１１１の開閉を経て、紙幣入金の受け入れ、返却紙幣や出金紙幣の払い出しを行う処理部である。【００５６】
表示操作部１２０は、タッチパネルとして機能する液晶ディスプレイで構成され、液晶ディスプレイに種々の文字情報と画像情報を表示するとともに、利用者による入出金取引処理に伴う入力操作を受け付ける構成である。【００５７】
カード受付部１３０は、カード搬送機器とカード読取機器を備え、入出金取引処理に際して利用者によって挿入された磁気ストライプカードやＩＣ内蔵カードを受け付け、入出金取引処理後にカードを利用者に返却する。このカード受付部１３０には、明細帳票に入出金明細事項を記入して帳票を排出する明細書発行機器が併設されている。【００５８】
紙幣処理部１１０、表示操作部１２０及びカード受付部１３０は後述する主制御部２０に接続され、紙幣処理部１１０におけるシャッター開閉や、表示操作部１２０での表示、カード受付部１３０でのカード受付・返却は、主制御部２０からの制御信号に基づいて実行される。【００５９】
記憶手段に対応する格納部２４は、紙幣処理部１１０から得られる紙幣識別情報２５や、カードリーダ受付部１３０にて読み取られた入出金取引者情報や時計２７から得られる取引日時情報などの取引管理情報２６が記録される。【００６０】
情報移送手段に対応する通信部２３は、格納部２４に格納される紙幣識別情報２５及び取引管理情報２６を、取引処理時情報として、通信手段に対応する通信回線４００を介して送信する。【００６１】
主制御部２０は、コンピュータを用いて構成され、各種装置の統括制御を担い、主制御部２０の動作プログラム等を記録したＲＯＭ２１、主制御部２０が各部を制御する制御データを読み書き可能に記録するＲＡＭ２２が接続されている。【００６２】
主制御部２０は、これら機器との間でデータ通信しながら、紙幣の入出金はもとより、紙幣入出金に伴うカードや通帳の受付・払出、後述の紙幣の真偽判定等の制御を行うとともに、通信回線４００を介してホストコンピュータ３００に取引処理時情報を送信する。  【００６３】
続いて、紙幣処理部１１０の機構を示す構造図である図１１を用いて構成要素の説明と紙幣搬送の仕組みについて説明する。【００６４】
図１１に示すように、紙幣処理部１１０は、識別部１０、シャッター１１１の下方の入金口１１２、出金返却口１１３、並びに収納手段に対応する一時保留部１１５及び収納部１１８で構成し、入金口１１２及び出金返却口１１３と一時保留部１１５、収納部１１８との間において、紙葉類に対応する紙幣Ｓを搬送する。【００６５】
識別部１０は、紙幣Ｓの真偽を判別する真偽判別センサ３（識別手段に対応）、紙幣Ｓに印刷され、固有特徴量情報に対応する記番号を読み取るための記番号読取センサ１（取引処理時固有特徴量認識手段に対応）、及び紙幣Ｓの正損分離処理を行うための損券検知センサ２（損券レベル判定手段に対応）、紙幣Ｓの表裏画像全体をスキャンするスキャナ４を内蔵している。【００６６】
ここで、図１１では、真偽判定センサ３、記番号読取センサ１、損券検知センサ２、スキャナ４を分けて構成しているが、それぞれのセンサの機能を持ち合わせた１つのモジュールとして構成してもよい。【００６７】
入金口１１２は、入金時に利用者によって投入された入金紙幣を受け入れる受入口である。  出金返却口１１３は、利用者への返却紙幣が搬送されるとともに、出金時には出金紙幣が出金返却口１１３に払い出される排出口である。【００６８】
一時保留部１１５は、識別部１０による紙幣読取の結果、後述するように真券紙幣と判別された紙幣Ｓを一時的に保管する保留部である。【００６９】
回収庫１１６は、入金取引処理時や出金取引処理時に識別部１０により損券紙幣と判別された紙幣Ｓを収納・保管する回収用の収納庫である。【００７０】
収納部１１８は、回収庫１１６と収納庫１１７Ａ〜１１７Ｃとで構成している。
収納庫１１７Ａ〜１１７Ｃは、現金自動取引装置１００が取り扱う紙幣の金種毎に装備され、入金紙幣を金種毎に収納・保管する収納庫である。なお、本実施例では、三種類の金種の紙幣を取り扱うことを想定しているので、三つの収納庫１１７Ａ〜１１７Ｃを装備している。
【実施例３】
【００７１】
次に、第３の実施例として、上記構成の紙幣処理部１１０において、紙幣Ｓを入金する場合について説明する。【００７２】
紙幣処理部１１０の入金口１１２に紙幣Ｓが投入されると、入金口１１２から紙幣Ｓを１枚ずつ分離して識別部１０に搬送する。【００７３】
識別部１０では紙幣Ｓの真偽や金種等の複数項目の判定が行われ、それらの判定結果から紙幣Ｓが正常な真券紙幣であるか、異常な偽券紙幣であるか、正常である場合には更に正券紙幣であるか損券紙幣であるか識別する動作と並行して、スキャナ４によって紙幣全体の画像を取得して、紙幣識別情報２５に格納する。また、入出金取引者情報や時計２７から得られる取引日時情報などは取引管理情報２６に格納する。これらは、取引処理時情報として、通信手段に対応する通信回線４００を介してホストコンピュータ３００に送信される。【００７４】
ここで、識別部１０による真偽判定の結果、金種判定が不可であった紙幣Ｓや、例えば、寸法異常などによって真偽判定で偽券紙幣と判定された紙幣Ｓは、振り分けゲート１１４によって出金返却口１１３まで返却搬送される。これにより、上記紙幣Ｓは利用者に返却されることになるが、偽券紙幣と判定された場合などは、先ほどの取引処理情報としてホストコンピュータにて管理することも可能である。その一方、真券紙幣であると判定された紙幣Ｓは、一時保留部１１５まで搬送される。【００７５】
一時保留部１１５に搬送された入金紙幣Ｓは、表示操作部１２０（図１２）に表示された入金金額を確認した利用者によって入金確定指示操作が入力されると、一時保留部１１５から１枚ずつ繰出され、改めて識別部１０を通過し、収納部１１８へ搬送される。【００７６】
識別部１０による再度の識別により正券紙幣と判別された紙幣Ｓは、振り分けゲート１１４の駆動により、金種情報に従って対応する収納庫１１７Ａ〜１１７Ｃのいずれかに収納され、紙幣に汚れや破れがあり次取引以降の出金取引処理には適さない損傷紙幣は損券紙幣と判定され、回収庫１１６に搬送されて保管される。ここで、損券紙幣と判定される紙幣の中に落書き、しみ、破れ、穴開きなどがあるが、現金自動取引装置１００単体でそれらを判定してカテゴリ分けして格納するのは困難であり（後述する）、損券紙幣という括りで保管される。【００７７】
一方、紙幣Ｓを出金する場合には、収納庫１１７Ａ〜１１７Ｃのいずれかから紙幣Ｓが１枚ずつ分離され、識別部１０へ搬送される。識別部１０は紙幣Ｓの状態を確認し、正常な正券紙幣と判定された紙幣Ｓを出金返却口１１３へ搬送する。それ以外の損券紙幣は一時保管庫１１５へ一旦搬送され、その後に再び識別部１０を経由し、識別部１０の識別結果情報によって収納庫１１７Ａ〜１１７Ｃへ収納されるか、或いは回収庫１１６に回収される。【００７８】
現金自動取引装置１００の識別部１０は、損券検知センサ２によって図５に示されるような、汚れ（しみ）５０、落書き５１、破れ５２、折れ５３、穴５４を検知し、損傷の程度を損券レベルとして検出する。ここで、落書き損券紙幣というのは、他の損券とは区別して処理をしたい要求があるが、現金自動取引装置１００のみで、落書き損券紙幣を検出して、他の損券とは別管理するような処理を考えた場合、非常に高性能なハードウェアと、高度な識別処理を顧客取引中に実施する必要があるため、取引処理時間が遅くなったり、現金自動取引装置１００のコストが上がってしまうといった欠点がある。【００７９】
そこで、現金自動取引装置１００では、入出金取引時に識別部１０内のスキャナ４にて紙幣画像を取得したデータを、紙幣識別情報２５に一旦格納した後、ホストコンピュータ３００に送信して、ホストコンピュータ３００上にて、損券紙幣が落書き損券であるかの高度な解析処理を実施し、結果を保存しておくことを考えた。【００８０】
ここで、第３の実施例を図１２と、図１３を用いて説明する。
図１２は現金自動取引装置１００とホストコンピュータ３００と紙幣仕分け装置２００を用いた紙幣仕分けシステム（その２）であり、図１３は入金取引処理時の動作手順を示したフローチャートである。【００８１】
カード受付部１３０への利用者によるカード挿入操作や表示操作部１２０への利用者による入力操作によって入金取引処理が開始すると、入金口１１２に投入された紙幣Ｓを１枚ずつ分離して識別部１０へ搬送する（Ｓ５０１）。【００８２】
識別部１０へ搬送された入金紙幣Ｓは、識別部１０の真偽判別センサ３によって、真偽判定や金種判定等の複数の判定項目に基づいて紙幣Ｓが正常であるか異常であるかを識別する（Ｓ５０２）。また、識別部１０では、損券検知センサ２により紙幣Ｓの損券レベルを検出した後（Ｓ５０３）、紙幣Ｓの表裏全体の画像をスキャナ４で取得する（Ｓ５０４）そして、ステップＳ５０２〜Ｓ５０４で取得した真偽判定結果、損券レベル検出結果、紙幣Ｓの画像データを紙幣識別情報２５として格納部２４に格納後（Ｓ５０５）、ホストコンピュータ３００に紙幣識別情報２５と取引管理情報２６を送信する（Ｓ５０６）。【００８３】
主制御部２０は、識別部１０によって紙幣Ｓが入金受付可能であると識別されたか否か、つまり真券紙幣と識別されたか偽券紙幣と識別されたかを判定し、入金受付可能な真券紙幣と識別されると（Ｓ５０７  Ｙ）、紙幣Ｓを識別部１０から一時保留部１１５へ搬送する（ステップＳ５０８）。【００８４】
逆に、ステップＳ５０７において、識別部１０によって紙幣Ｓが入金受付不可能な偽券紙幣と識別されると（Ｓ５０７  Ｎ）、紙幣Ｓを識別部１０から出金返却口１１３
へ搬送して返却する（Ｓ５０９）。【００８５】
そして、紙幣の搬送の後、主制御部２０は、入金口１１２の紙幣Ｓが全てなくなったか否かを判定し（Ｓ５１０）、入金口１１２にまだ紙幣Ｓがあれば、ステップＳ５０１へ移行して、入金口１１２から紙幣Ｓを繰り出して識別部１０へ搬送し、上述したように識別部１０で紙幣Ｓを識別する。【００８６】
なお、このように識別部１０によって入金受付不可能な偽券紙幣と識別された紙幣Ｓは、複数の判定項目のうち少なくとも１つの項目を満足しなかった紙幣であって、例えば、紙幣処理部１１０で取り扱い不可能な金種の紙幣やレシート等の紙幣以外の媒体であるために識別部１０では真券紙幣と判定できなかった紙葉類が含まれている。【００８７】
また、主制御部２０が、入金口１１２に紙幣Ｓが全てなくなったことを判定すると（Ｓ５１０  Ｙ）、入金口１１２からの繰出しを終了し、表示操作部１２０に紙幣Ｓの金種、枚数、合計金額を表示する。【００８８】
そして、表示操作部１２０に表示された紙幣Ｓの金種、枚数、合計金額を確認した利用者により入金確定処理操作が行われると（Ｓ５１１  Ｙ）、識別部１０により正券紙幣と識別された紙幣Ｓを、金種情報に従って一時保留部１１５から収納庫１１７Ａ
〜１１７Ｃのうちいずれかの対応する収納庫１１７に収納する。【００８９】
これに対し、紙幣Ｓに汚れ５０、落書き５１や破れ５４等があり、正損判定基準に従って次取引以降の出金取引処理には適さない等の理由で損券紙幣と判定された紙幣Ｓは、一時保留部１１５から回収庫１１６に搬送され、保管される（ステップＳ５１２）。そして入金取引処理が完了となる。【００９０】
一方、表示操作部１２０に表示された紙幣Ｓの金種、枚数、合計金額を確認した利用者により入金取引処理について取り消し操作が入力されると（Ｓ５１１  Ｎ）、一時保留部１１５に集積した紙幣Ｓを出金返却口１１３へ搬送して利用者に紙幣Ｓを返却し（ステップＳ５１３）、入金取引処理を終了する。【００９１】
ここで、今回のフローチャートの場合、入金処理が完了していない紙幣Ｓに関しても、画像データを含む紙幣識別情報２５や取引管理情報２６をホストコンピュータ３００に送信する流れとなっているが、これは偽券紙幣の情報をより多く入手できるというメリットがある。ただし、送信されるデータ量を最低限にしたい場合や、入金確定後の紙幣Ｓのみをデータ管理したい場合は、ステップＳ５１２の後にステップＳ５０５、ステップＳ５０６の処理をもってくるフローとしてもよい。【００９２】
次に、図１３で説明した紙幣識別情報２５や取引管理情報２６がホストコンピュータ３００に送信された後の処理について説明する。ホストコンピュータ３００は通信部３５１より、データ処理部３５６にて、スキャナ４によって取得された紙幣画像に落書き損券紙幣が含まれているかどうかの高度な解析処理と合わせて紙幣画像に含まれる記番号画像データから記番号の認識処理を実施し、その解析結果をデータ格納部３１０に、当該紙幣の取引支店、装置、日時、記番号といった情報とともに保存する。データ格納部３１０のデータフォーマットの一例を図１４に示す。【００９３】
取引処理時情報に対応する紙幣識別情報２５は、現金自動取引装置１００が設置されている支店の管理番号を示す支店管理番号情報３０、支店内の現金自動取引装置の管理番号を示す装置管理番号情報３１、認識した紙幣Ｓの記番号を示す記番号情報３２（取引処理時固有特徴量情報に対応）、当該紙幣Ｓの真偽判定結果を示す真偽判定結果情報３３（真偽識別結果情報に対応）、当該判定を行った日時に関する日時情報３５（時間情報に対応）、現金自動取引装置１００の取引が成立したか否かを示す取引成立可否情報３６、及び上述したデータ処理部３５６の解析処理結果である、落書き損券検出有無情報３４で構成している。【００９４】
このようなデータフォーマットでデータ格納部３１０に記憶することにより、紙幣Ｓの記番号情報と、真偽判定結果情報及び落書き情報とを関連付けて管理することができる。  【００９５】
次に、図１３、図１４の方式で運用された、現金自動取引装置１００から回収された紙幣が、紙幣仕分け装置２００で落書き損券紙幣を検出する手順について図１５を用いて説明する。【００９６】
なお、図１５は紙幣仕分け装置２００による落書き損券分離手順を示したフローチャートであり、各ステップは紙幣仕分け装置２００の主制御部２５０が実行する処理である。  【００９７】
まず、銀行の支店にある現金自動取引装置１００から回収された紙幣Ｓについて、落書き券に該当する記番号をホストコンピュータ３００のデータ格納部３１０から受信し、格納部２５５の紙幣識別情報２５６として登録する（Ｓ６０１）。【００９８】
具体的な方法としては、紙幣仕分け装置２００の表示操作部２５３への作業者による入力操作によって、ホストコンピュータ３００に対して受信要求を入力すると良い。【００９９】
その後、回収された紙幣Ｓをホッパ２２０から１枚ずつ分離し、識別部２１０へ搬送し（Ｓ６０２）、識別部２１０に搭載された枚数検出センサ２０３により紙幣の枚数をカウントするとともに、記番号読取センサ２０１により紙幣Ｓの記番号画像データを取得し、主制御部２５０は、読み取った記番号データから記番号を認識し（Ｓ６０３）、認識した記番号と格納部２５５に格納されている記番号とを比較照合する（Ｓ６０４）。【０１００】
そして、主制御部２５０は、紙幣Ｓが落書き紙幣であるか、それ以外の紙幣（正券もしくは汚れ等の落書き以外の損券）であるかを判定する（Ｓ６０５）。【０１０１】
落書き紙幣でないと判定した場合（Ｓ６０５  Ｎ）、紙幣Ｓをスタッカ（例えば２４５Ａ）に集積し（Ｓ６０６）、落書き損券紙幣であると判定した場合（Ｓ６０５  Ｙ）、紙幣Ｓをリジェクトスタッカ２４０へ集積する（Ｓ６０７）。【０１０２】
上記の手順（Ｓ６０２〜Ｓ６０７）をホッパ２２０に紙幣Ｓがなくなるまで繰り返し（Ｓ６０８）、紙幣仕分け装置２００における落書き券分離処理を終了する。  
以上の手順によると、紙幣仕分け装置２００において、現金自動取引装置１００では実施困難である落書き券分離処理が実施できる。【０１０３】
また、紙幣仕分け装置２００は、記番号読取センサ１を備えるという簡素なセンサ構成で実現できるばかりでなく、紙幣仕分け装置２００でのデータ処理負荷が少なくなる分、高速処理を容易に実現することが可能となる。【０１０４】
なお、上述の説明では、紙幣識別情報２５６をホストコンピュータ３００から受信する形式について説明したが、ステップＳ６０３で認識した記番号に基づいて、リアルタイムで通信回線４００を経由してホストコンピュータ３００と通信し、該当する紙幣Ｓの紙幣識別情報２５を取得してもよい。【０１０５】
以上のように、現金自動取引装置１００とホストコンピュータ３００と紙幣仕分け装置２００のシステムを組むことにより、落書き券を検知するという高度な処理をコストをかけずに実施することができる。【０１０６】
また、上述の説明では、現金自動取引装置１００とホストコンピュータ３００の相互間の情報伝達手段として通信回線４００を用いたが、オフラインでもこのシステムは実現可能である。【０１０７】
例えば、図１６に示すように、紙幣処理部１１０において回収庫１１６にメモリ１１９（記憶手段、取引処理時情報出力手段及び取引処理時情報出力手段に対応）を搭載し、収納された紙幣Ｓに関する紙幣識別情報２５をメモリ１１９に記憶させてもよい。この場合、紙幣回収の際には収納庫ごと運搬し、紙幣回収先での落書き券検知処理の際にはメモリ１１９に記憶した紙幣識別情報２５を読み取り、ホストコンピュータ３００にて落書き損券紙幣が含まれているかどうかの解析処理を実施すればよい。
現金自動取引装置１００とホストコンピュータ３００間のオフラインのシステムとしてＵＳＢメモリ等の外部記憶媒体を用いた実施例を次に説明する。
【実施例４】
【０１０８】
実施例４では実施例３と比較して、現金自動取引装置１００とホストコンピュータ３００のデータの受け渡し方法が異なるのみであり、異なる装置構成と処理手順について説明する。【０１０９】
図１７は本実施例の紙幣仕分けシステム５００の全体像を概略的に示すシステム構成図である。【０１１０】
紙幣仕分けシステム５００は、現金自動取引装置１００からホストコンピュータ３００へ外部記憶媒体５０１で紙幣全体の画像を含む紙幣識別情報２５を移動させ、ホストコンピュータ３００で解析し、通信回線４００を通じて紙幣仕分け装置２００へデータを送るという構成となっている。【０１１１】
外部記憶媒体５０１は、ＵＳＢメモリのほか、磁気ディスク、ミニディスク、光ディスク、ＤＶＤ、ＣＤＲＯＭ、マイクロドライブ、光磁気ディスクを含むあらゆる種類のディスク、ＲＯＭ、ＲＡＭ、ＥＰＲＯＭ、ＥＥＰＲＯＭ、ＤＲＡＭ、ＶＲＡＭ、フラッシュメモリ装置、磁気又は光カード、外付けハードディスク等のデータを格納するのに適した何らか種類の媒体又は装置を含みこれに限定されない。【０１１２】
次に現金自動取引装置１００の電気的な概略構成を示すブロック図を図１８に示す。【０１１３】
現金自動取引装置１００は、図１８に示すように、表示操作部１２０、カード受付部１３０、紙幣処理部１１０、通信部２３、格納部２４、時計２７、ＲＯＭ２１、ＲＡＭ２２及び紙幣処理部１１０のほか、外部記憶媒体５０１とのデータの受け渡しを行う外部記憶媒体接続口５０２が主制御部２０と接続されて構成されている。外部記憶媒体接続口５０２は、例えばＵＳＢポートなどを指す。【０１１４】
また、図１９にホストコンピュータ３００の電気的な概略構成を示すブロック図を示す。【０１１５】
ホストコンピュータ３００は図１９に示すように、主制御部３５０、通信部３５１、ＲＯＭ３５２、ＲＡＭ３５３、表示部３５４、管理者入力部３５５、データ処理部３５６、データ格納部３１０のほか、外部記憶媒体５０１とのデータの受け渡しを行う外部記憶媒体接続口５０３を構成要素として含む。【０１１６】
次に、紙幣仕分け装置２００において、実施例３で説明した手順に従い、現金自動取引装置１００にて登録された紙幣識別情報２５に基づいて落書き券検知処理を行う手順について図５および図１８、１９を用いて説明する。【０１１７】
まず、銀行の支店にある現金自動取引装置１００から紙幣Ｓを回収する際に、紙幣識別情報２５は、外部記憶媒体接続口５０２を経由して外部記憶媒体５０１に送信（コピーまたは移動）される。その後、外部記憶媒体５０１と紙幣Ｓとは、合わせてホストコンピュータ３００の設置された本店や支店のバックヤード、あるいは現金センタに運搬される。外部記憶媒体５０１に記憶された紙幣識別情報２５は、外部記憶媒体接続口５０３を経由してホストコンピュータ３００に受信（コピーまたは移動）される。その後、データ処理部３５６にて、紙幣画像に落書き損券紙幣が含まれているかどうかの高度な解析処理と合わせて紙幣画像に含まれる記番号画像データから記番号の認識処理を実施し、その解析結果をデータ格納部３１０に保存する。以降の処理は図１５に記載のフローと同様である。  【０１１８】
以上の手順によると、現金自動取引装置１００とホストコンピュータ３００をオンラインで接続することなく、システムの構築が容易なオフラインの構成で、実施例３と同等の落書き券検知処理を行うことができる。【０１１９】
また、今回の実施例４のシステムでは利便性を考慮して、ホストコンピュータ３００と紙幣仕分け装置２００はオンラインの接続としたが、紙幣仕分け装置２００に外部記憶媒体接続口を具備させることにより、ホストコンピュータ３００と紙幣仕分け装置２００間も外部記憶媒体５０１を用いてデータ送付することは可能である。この場合は、ホストコンピュータ３００にて、落書き券の解析処理と記番号の認識処理を行った結果を再度外部記憶媒体５０１に保存して、紙幣仕分け装置２００の外部記憶媒体接続口に接続すれば良い。実施例４と比較すると利便性が劣るが、すべてのシステムをオフラインにできるというメリットがある。【０１２０】
また、本実施例では記番号を紙幣Ｓの持つ固有特徴量として取扱い、真偽判定結果と落書き損券レベルとを関連付ける場合について説明したが、紙幣Ｓの固有特徴量としては記番号に限定されず、例えば、バーコードやＩＣチップ等、紙幣Ｓが個別に認識可能な情報であればよい。【０１２１】
また、記番号やバーコード等の固有特徴量が文字あるいはコードとして認識処理できない場合には、記番号やバーコードの画像情報を当該紙幣の固有特徴量として扱ってもよい。この場合には、紙幣仕分け装置２００で読み取った画像情報と紙幣識別情報２５６として記憶されている画像情報との画像照合処理を行えばよい。【０１２２】
また、上述の説明では、本発明に関わる紙葉類処理装置及び紙葉類仕分けシステムを、紙幣Ｓを落書き券検知処理する紙幣仕分け装置２００を用いた場合について説明したが、本発明はこれのみに限定するものではなく、これ以外に商品券や小切手などの有価証券など、固有の特徴量を持つ媒体を落書き券検知処理する仕分け装置としてもよい。【０１２３】
また、今回の実施例では落書き券検知処理をホストコンピュータ３００にて実施することを主として記載しているが、真偽判定や破れなどの損券判定をホストコンピュータに実施させても良い。【０１２４】
ところで、本実施例で説明したホストコンピュータ３００とは、例えば銀行で現状運用されている勘定系システムのホストを流用して使用しても良いし、紙幣仕分け装置２００で必要となるデータ解析を行う専用端末として構成してもよい。
【符号の説明】
【０１２５】
Ｓ…紙幣，１…記番号読取センサ，２…損券検知センサ，３…真偽判別センサ，４…スキャナ，１０…識別部，２０…主制御部，２１…ＲＯＭ，２２…ＲＡＭ，２３…通信部，２４…格納部，２５…紙幣識別情報，２６…取引管理情報，２７…時計，３０…支店管理番号情報，３１…装置管理番号情報，３２…記番号，３３…真偽判定結果，３４…落書き損券検出有無情報，３５…損券判定日時，３６…取引成立可否情報，５０…汚れ（しみ），５１…落書き，５２…破れ，５３…折れ，５４…穴，１００…現金自動取引装置，１１０…紙幣処理部，１１１…シャッター，１１２…入金口，１１３…出金返却口，１１４…振り分けゲート，１１５…一時保留部，１１６…回収庫，１１７Ａ〜１１７Ｃ…収納庫，１１８…収納部，１１９…メモリ，１２０…表示操作部，１３０…カード受付部，１４０…通帳受付部，１５０…紙幣仕分けシステム（その１），１５１…紙幣仕分けシステム（その２），２００…紙幣仕分け装置，２０１…記番号読取センサ，２０３…枚数検出センサ，２０４…スキャナ，２０５…損券検知センサ，２１０…識別部，２２０…ホッパ，２３０…振り分けゲート，２４０…リジェクトスタッカ，２４５Ａ…第１スタッカ，２４５Ｂ…第２スタッカ，２５０…主制御部，２５１…ＲＯＭ，２５２…ＲＡＭ，２５３…表示操作部，２５４…通信部，２５５…格納部，２５６…紙幣識別情報，２５７…正損分離基準情報，２５８…紙幣画像情報，３００…ホストコンピュータ，３１０…データ格納部，３５０…主制御部，３５１…通信部，３５２…ＲＯＭ，３５３…ＲＡＭ，３５４…表示部，３５５…管理者入力部，３５６…データ処理部，４００…通信回線，５００…紙幣仕分けシステム，５０１…外部記憶媒体，５０２〜５０３…外部記憶媒体接続口
【図１】
2014064775.tif 000003
【図２】
2014064775.tif 000004
【図３】
2014064775.tif 000005
【図４】
2014064775.tif 000006
【図５】
2014064775.tif 000007
【図６】
2014064775.tif 000008
【図７】
2014064775.tif 000009
【図８】
2014064775.tif 000010
【図９】
2014064775.tif 000011
【図１０】
2014064775.tif 000012
【図１１】
2014064775.tif 000013
【図１２】
2014064775.tif 000014
【図１３】
2014064775.tif 000015
【図１４】
2014064775.tif 000016
【図１５】
2014064775.tif 000017
【図１６】
2014064775.tif 000018
【図１７】
2014064775.tif 000019
【図１８】
2014064775.tif 000020
【図１９】
2014064775.tif 000021
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
紙葉類を識別処理するための紙葉類識別情報を取得する紙葉類識別情報取得手段と、
前記紙葉類識別情報取得手段により取得した紙葉類識別情報を紙葉類の紙葉類識別情報を演算する演算処理手段を有する外部演算装置へ移送する情報移送手段と、
前記紙葉類識別情報とは異なる紙葉類の情報である、固有特徴量情報を認識する固有特徴量認識手段と、
内部に前記紙葉類を収納する少なくともひとつの収納手段と、
前記固有特徴量認識手段で認識した固有特徴量情報に応じて前記紙葉類を振り分ける振り分け手段と、を備えることを特徴とする紙葉類仕分け装置。
【請求項２】
請求項１記載の紙葉類仕分け装置であって、
前記紙葉類識別情報が所定の条件に合致した紙葉類の固有特徴量情報を前記外部演算装置から受信する受信手段を備え、
前記振り分け手段は、前記受信した前記固有特徴量情報に基づいて前記紙葉類を振り分けることを特徴とする紙葉類仕分け装置。
【請求項３】
請求項２記載の紙葉類仕分け装置であって、
操作者に対して情報を表示する表示部を備え、
前記紙葉類識別情報が所定の条件に合致した紙葉類が無い場合、前記受信手段は、前記所定の条件に合致した前記固有特徴量情報が無い旨の情報を受信し、
前記表示部は、前記所定の条件に合致した前記固有特徴量情報が無い旨を表示することを特徴とする紙葉類仕分け装置。
【請求項４】
請求項１記載の紙葉類仕分け装置であって、
前記紙葉類識別情報取得手段により１つの前記紙葉類識別情報を取得した後に、
前記情報移送手段は、該紙葉類識別情報を外部演算装置へ移送することを特徴とする紙葉類仕分け装置。
【請求項５】
請求項１記載の紙葉類仕分け装置であって、
前記紙葉類識別情報取得手段により前記識別処理の対象となる全ての前記紙葉類の前記紙葉類識別情報を取得した後に、
前記情報移送手段は、該紙葉類識別情報を外部演算装置へ移送することを特徴とする紙葉類仕分け装置。
【請求項６】
紙葉類を識別処理するための紙葉類識別情報を演算する演算処理手段と、前記紙葉類の中から所定の紙葉類を検出する検出処理手段と、前記所定の紙葉類の前記紙葉類識別情報から固有特徴量情報を認識する固有特徴量認識手段と、前記固有特徴量認識手段で認識した前記固有特徴量情報を出力する情報出力手段と、を備えた外部演算装置と情報の送受信を行う紙葉類処理装置であって、
前記紙葉類処理装置は、
紙葉類を取引処理する取引処理手段と、
前記取引処理に応じて前記紙葉類識別情報を取得する紙葉類識別情報取得手段と、
前記紙葉類識別情報取得手段により取得した紙葉類識別情報を前記外部演算装置へ移送する情報移送手段と、
前記情報出力手段により出力された前記固有特徴量情報を受信する受信手段と、
前記固有特徴量情報に基づき仕分け処理を行う仕分け処理手段と、を備えたことを特徴とする紙葉類処理装置。
【請求項７】
請求項６記載の紙葉類処理装置であって、
前記紙葉類処理装置は前記紙葉類を収納する少なくともひとつの収納手段を有し、
前記収納手段に前記紙葉類識別情報を記憶する記憶手段を備えたことを特徴とする紙葉類処理装置。
【請求項８】
紙葉類仕分け装置と外部演算装置とを備えた紙葉類仕分けシステムであって、
前記紙葉類仕分け装置は、
紙葉類を識別処理するための紙葉類識別情報を取得する紙葉類識別情報取得手段と、前記紙葉類識別情報取得手段により取得した紙葉類識別情報を前記外部演算装置へ移送する情報移送手段と、前記紙葉類の固有特徴量情報を認識する固有特徴量認識手段と、内部に前記紙葉類を収納する少なくともひとつの収納手段と、外部から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する第２の固有特徴量認識手段と、前記第２の固有特徴量認識手段で認識した前記固有特徴量情報を外部へ出力する情報出力手段と、を備えたことを特徴とする紙葉類仕分けシステム。
【請求項９】
紙葉類処理装置と紙葉類仕分け装置と外部演算装置とを備えた紙葉類仕分けシステムであって、
前記紙葉類処理装置は、
紙葉類を取引処理する取引処理手段と、前記取引処理に応じて前記紙葉類を識別処理するための識別情報を取得する紙葉類識別情報取得手段と、前記紙葉類識別情報取得手段により取得した紙葉類識別情報を前記外部演算装置へ移送する情報移送手段と、を備え、
前記紙葉類仕分け装置は、
前記紙葉類の固有特徴量情報を認識する固有特徴量認識手段と、内部に前記紙葉類を収納する少なくともひとつの収納手段と、外部から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する固有特徴量認識手段と、前記固有特徴量認識手段で認識した前記固有特徴量情報を外部へ出力する情報出力手段と、を備えることを特徴とした紙葉類仕分けシステム。
【請求項１０】
請求項８又は９記載の紙葉類仕分けシステムであって、
前記紙葉類識別情報は前記紙葉類の画像データであることを特徴とする紙葉類仕分けシステム。
【請求項１１】
請求項８又は９記載の紙葉類仕分けシステムであって、
前記紙葉類仕分け装置は、紙葉類の枚数を検出する枚数検出手段を有し、前記枚数検出手段による前記紙葉類の枚数の検出によって処理の終了を判断することを特徴とする紙葉類仕分けシステム。
【請求項１２】
請求項９記載の紙葉類仕分けシステムであって、
前記紙葉類処理装置は、取り扱われた全ての紙葉類の前記紙葉類識別情報を前記外部演算装置に移送し、前記外部演算装置にて取引処理情報として管理することを特徴とする紙葉類仕分けシステム。
【請求項１３】
請求項９記載の紙葉類仕分けシステムであって、外部記憶媒体を備え、
前記情報移送手段は、前記外部記憶媒体と情報を送受信する第１の接続部を備え、
前記外部演算装置は、前記外部記憶媒体と情報を送受信する第２の接続部を備え、
前記第１の接続部は、前記紙葉類処理装置で取り扱われた全ての紙葉類の前記紙葉類識別情報を前記外部記憶媒体に送信し、
前記外部記憶媒体は、前記第１の接続部を介して送信された前記紙葉類識別情報を記憶し、
前記第２の接続部は、前記記憶された前記紙葉類識別情報を受信することを特徴とする紙葉類仕分けシステム。
【手続補正書】
【提出日】平成28年2月4日(2016.2.4)
【手続補正１】
【補正対象書類名】特許請求の範囲
【補正対象項目名】請求項６
【補正方法】変更
【補正の内容】
【請求項６】
紙葉類を識別処理するための紙葉類識別情報を演算する演算処理手段と、前記紙葉類の中から所定の紙葉類を検出する検出処理手段と、前記所定の紙葉類の前記紙葉類識別情報から固有特徴量情報を認識する固有特徴量認識手段と、前記固有特徴量認識手段で認識した前記固有特徴量情報を出力する情報出力手段と、を備えた外部演算装置と情報の送受信を行う紙葉類処理装置であって、
前記紙葉類処理装置は、
紙葉類を取引処理する取引処理手段と、
前記取引処理に応じて前記紙葉類識別情報を取得する紙葉類識別情報取得手段と、
前記紙葉類識別情報取得手段により取得した紙葉類識別情報を前記外部演算装置へ移送する情報移送手段と、を備えたことを特徴とする紙葉類処理装置。
【手続補正２】
【補正対象書類名】特許請求の範囲
【補正対象項目名】請求項８
【補正方法】変更
【補正の内容】
【請求項８】
紙葉類仕分け装置と外部演算装置とを備えた紙葉類仕分けシステムであって、
前記紙葉類仕分け装置は、
紙葉類を識別処理するための紙葉類識別情報を取得する紙葉類識別情報取得手段と、前記紙葉類識別情報取得手段により取得した紙葉類識別情報を前記外部演算装置へ移送する情報移送手段と、前記紙葉類の固有特徴量情報を認識する固有特徴量認識手段と、内部に前記紙葉類を収納する少なくともひとつの収納手段と、前記外部演算装置から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する第２の固有特徴量認識手段と、前記第２の固有特徴量認識手段で認識した前記固有特徴量情報を前記紙葉類仕分け装置へ出力する情報出力手段と、
を備えたことを特徴とする紙葉類仕分けシステム。
【手続補正３】
【補正対象書類名】特許請求の範囲
【補正対象項目名】請求項９
【補正方法】変更
【補正の内容】
【請求項９】
紙葉類処理装置と紙葉類仕分け装置と外部演算装置とを備えた紙葉類仕分けシステムであって、
前記紙葉類処理装置は、
紙葉類を取引処理する取引処理手段と、前記取引処理に応じて前記紙葉類を識別処理するための識別情報を取得する紙葉類識別情報取得手段と、前記紙葉類識別情報取得手段により取得した紙葉類識別情報を前記外部演算装置へ移送する情報移送手段と、を備え、
前記紙葉類仕分け装置は、
前記紙葉類の固有特徴量情報を認識する固有特徴量認識手段と、内部に前記紙葉類を収納する少なくともひとつの収納手段と、前記外部演算装置から前記固有特徴量情報を入力する情報入力手段と、前記固有特徴量認識手段で認識した当該紙葉類の固有特徴量情報と、前記情報入力手段で入力した前記固有特徴量情報とを比較する比較手段と、前記比較手段により合致した場合に前記紙葉類を振り分ける振り分け手段と、を備え、
前記外部演算装置は、
前記紙葉類識別情報を入力する識別情報入力手段と、前記紙葉類識別情報を演算する演算処理手段と、前記紙葉類の中から特定の当該紙葉類を検出する検出処理手段と、前記紙葉類識別情報から前記固有特徴量情報を認識する固有特徴量認識手段と、前記固有特徴量認識手段で認識した前記固有特徴量情報を前記紙葉類仕分け装置へ出力する情報出力手段と、を備えることを特徴とした紙葉類仕分けシステム。
【国際調査報告】
2014064775.tif 000022
2014064775.tif 000023